(57)【要約】      （修正有）【解決手段】十字型アンテナアレイ１は、第１放射素子２０の第１リニアアレイ１０と、第１リニアアレイ２０に実質的に垂直に配置される第２放射素子２１の第２リニアアレイ１１と、第１リニアアレイ１０と第２リニアアレイ１１との交点１２に配置される共通の放射素子２２と、フィード信号の受信のためのフィードポート３０、３１、３２、３３とを含む。【効果】様々な偏波（垂直／水平直線偏波、円偏波等）を有するアンテナビームを生成することができる。【選択図】図１
2017225121.tif 000002
【特許請求の範囲】
【請求項１】
第１放射素子（２０）の第１リニアアレイ（１０）と、
前記第１リニアアレイ（１０）に実質的に垂直に配置される、第２放射素子（２１）の第２リニアアレイ（１１）と、
前記第１リニアアレイ（１０）と前記第２リニアアレイ（１１）との交点（１２）に配置される共通の放射素子（２２）と、
前記第１リニアアレイ及び前記第２リニアアレイの各端部における、フィード信号の受信のためのフィードポート（３０，３１，３２，３３）と、
を含む、十字型アンテナアレイ。
【請求項２】
それぞれの前記第１放射素子（２０）間の第１間隔（Ｌ２０）はすべて同一であり、それぞれの前記第２放射素子（２１）間の第２間隔（Ｌ２１）はすべて同一である、請求項１に記載の十字型アンテナアレイ。
【請求項３】
前記第１間隔（Ｌ２０）は前記第２間隔（Ｌ２１）と同一である、請求項２に記載の十字型アンテナアレイ。
【請求項４】
前記放射素子は、パッチアンテナ素子、スロットアンテナ素子、スロット付き導波管素子、又は基板集積導波管素子、である、請求項１に記載の十字型アンテナアレイ。
【請求項５】
請求項１に記載の十字型アンテナアレイ（１）と、
フィード信号を生成し前記フィード信号を前記フィードポート（３０，３１，３２，３３）へ提供するための信号源（１０１）と、
を含む、アンテナデバイス。
【請求項６】
それぞれの前記フィードポート（３０，３１，３２，３３）への前記フィード信号の提供を制御するための及び／又は前記それぞれのフィードポート（３０，３１，３２，３３）のオンオフを切り換えるためのコントローラ（１０２）、をさらに含む、請求項５に記載のアンテナデバイス。
【請求項７】
それぞれの前記フィードポートへ提供される前記フィード信号の位相を制御するために、前記信号源（１０１）と少なくとも１つのフィードポート（３０，３１，３２，３３）との間に可変移相器（１０３）をさらに含む、請求項５に記載のアンテナデバイス。
【請求項８】
それぞれの前記フィードポートへ提供される前記フィード信号の位相を制御するために、前記信号源（１０１）と各フィードポート（３０，３１，３２，３３）との間に可変移相器（１０３）をさらに含む、請求項５に記載のアンテナデバイス。
【請求項９】
前記可変移相器（１０３）は、前記フィード信号の前記位相を０°又は１８０°だけシフトさせるように構成される、請求項７又は８に記載のアンテナデバイス。
【請求項１０】
前記可変移相器（１０３）は、前記フィード信号の前記位相を０°から３６０°までの範囲内のシフト値へシフトさせるように構成される、請求項７又は８に記載のアンテナデバイス。
【請求項１１】
前記可変移相器（１０３）を制御するためのコントローラ（１０２）、をさらに含む、請求項９又は１０に記載のアンテナデバイス。
【請求項１２】
請求項１に記載の十字型アンテナアレイを動作させる方法であって、
フィード信号を生成することと、
前記フィード信号を前記アンテナアレイの１つ以上のフィードポートへ提供することと、それにより、前記フィードポートのうちどのフィードポートへ前記フィード信号が提供されるかを制御することと、前記フィード信号を前記１つ以上のフィードポートへ提供する前に前記フィード信号の位相を制御することと、
を含む、方法。
【請求項１３】
フィード信号が提供されないフィードポートをオフに切り換えること、をさらに含む、請求項１２に記載の方法。
【請求項１４】
前記フィード信号の前記位相を０°又は１８０°だけシフトさせること、をさらに含む、請求項１２に記載の方法。
【請求項１５】
前記フィード信号の前記位相を０°から３６０°までの範囲内のシフト値へシフトさせること、をさらに含む、請求項１２に記載の方法。
【発明の詳細な説明】
【技術分野】
【０００１】
本開示は、十字型アンテナアレイ、アンテナデバイス、及びそうしたアンテナアレイを動作させる方法、に関する。
【背景技術】
【０００２】
近年、民生用のレーダー及び通信製品について、２Ｄ電子ビーム形成システムがより普及してきている。フェーズドアレイは、興味深いビーム形成技術であり、電子的にメインアンテナビームを整形して予め規定された視野内で所定の方向へとステアリングするために使用される。フェーズドアレイ技術は、数十年にわたり、衛星通信及び軍用レーダーのための主要なアンテナシステムである。しかしながら、当該技術は、高機能性能を有するものの、移相器、可変利得増幅器、及びそれら機器の動的較正のための複雑な制御回路の数に起因して、高速ワイヤレス通信及び運転支援システムといった新たに出現している民生用ワイヤレスアプリケーションにとっては未だに非常に高価で複雑なソリューションである。
【０００３】
現在の自動車レーダーの製造業者は、仰角及び方位角における２Ｄ電子ビーム形成といった、さらなる機能性を製品が備えるようにしたい。代替的に、同時に複数の目的のために使用されるマルチモードレーダー製品は、顧客のはるかに大きな注目を集めている。
【０００４】
本明細書に提供される「背景技術」の説明は、開示の文脈を概括的に提示するためのものである。現時点において名前が挙げられている発明者（ら）の研究は、この背景技術セクションで説明されている範囲内において、説明されていなければ出願時に先行技術として認められ得ない当該説明の局面と同様に、本開示に対する先行技術として明示的にも黙示的にも認められない。
【発明の概要】
【発明が解決しようとする課題】
【０００５】
目的は、２Ｄビーム形成を可能にする十字型アンテナアレイ、アンテナデバイス、及びそうしたアンテナアレイを動作させる方法、を提供することである。
【課題を解決するための手段】
【０００６】
一局面に従えば、
−  第１放射素子の第１リニアアレイと、
−  第１リニアアレイに実質的に垂直に配置される、第２放射素子の第２リニアアレイと、
−  第１リニアアレイと第２リニアアレイとの交点に配置される共通の放射素子と、
−  第１及び第２リニアアレイの各端部における、フィード信号（feed  signal）の受信のためのフィードポート（feed  port）と、
を含む、十字型アンテナアレイ、が提供される。
【０００７】
さらなる局面に従えば、
−  本明細書に開示される十字型アンテナアレイと、
−  フィード信号を生成し当該フィード信号をフィードポートへ提供するための信号源と、
を含む、アンテナデバイス、が提供される。
【０００８】
さらなる局面に従えば、本明細書に開示されるアンテナアレイを動作させる方法であって、
−  フィード信号を生成することと、
−  フィード信号をアンテナアレイの１つ以上のフィードポートへ提供することと、それにより、複数のフィードポートのうちどのフィードポートへフィード信号が提供されるかを制御することと、フィード信号を１つ以上のフィードポートへ提供する前に当該フィード信号の位相を制御することと、
を含む、方法、が提供される。
【０００９】
発明の実施形態は、従属請求項に定義される。特許請求される方法及びアンテナデバイスが、特に従属請求項に定義されるような及び本明細書に開示されるような、特許請求されるアンテナアレイと同様の及び／又は同一の好ましい実施形態を有することは、理解されるであろう。
【発明の効果】
【００１０】
開示の局面のうちの１つは、異なるフィードポートへ同時に提供される、励起信号としての２つ以上のフィード信号によってもたらされる、２つ以上の（例えば４つの）スクイントされた（squinted）アンテナビームの重畳を可能にする、十字型（プラス型とも呼ばれる）アンテナアレイを提供すること、である。これらのフィード信号を制御することにより、多くの異なるアンテナビームを達成することができ、アンテナビームが電子的に仰角及び方位角において複数の方向へステアリングされることができるようになる。開示される２Ｄ十字型アンテナトポロジは、送受信機アンテナ、送信機アンテナ、又は受信機アンテナとして使用されることができる。
【００１１】
様々な偏波（垂直／水平直線偏波、円偏波等）を有するアンテナビームを生成することができ、それらは、様々なシナリオにおいて複数のターゲットの分類／識別に関する追加の情報を提供し得る。
【００１２】
任意選択で、各フィードポートに可変移相器が設けられてよいが、追加的な可変利得増幅器は通常は不要である。
【００１３】
以上の段落は、概略的な導入のために提供されたものであり、以下の特許請求の範囲を限定する意図はない。説明される実施形態は、さらなる利点と併せて、添付の図面との組み合わせで以下の詳細な説明を参照することにより最もよく理解されるであろう。
【図面の簡単な説明】
【００１４】
開示及び、それに付随する利点の多くは、添付の図面との組み合わせで考慮される場合に以下の詳細な説明を参照することでよりよく理解されるようになるので、それらのより完全な理解は容易に得られるであろう。
【図１】本開示に従った十字型アンテナアレイの一実施形態の平面図を示す。
【図２】本開示に従ったアンテナデバイスの一実施形態を示す。
【図３】本開示に従った方法のフローチャートを示す。
【図４】本開示に従った十字型アンテナアレイで達成可能な例示的なアンテナビームパターンを示す。
【図５】本開示に従った十字型アンテナアレイで達成可能な例示的なアンテナビームパターンを示す。
【図６】本開示に従った十字型アンテナアレイで達成可能な例示的なアンテナビームパターンを示す。
【図７】本開示に従った十字型アンテナアレイで達成可能な例示的なアンテナビームパターンを示す。
【図８】本開示に従った十字型アンテナアレイで達成可能な例示的なアンテナビームパターンを示す。
【図９】本開示に従った十字型アンテナアレイで達成可能な例示的なアンテナビームパターンを示す。
【発明を実施するための形態】
【００１５】
以下、図面を参照するが、複数の図を通じて同様の参照番号は同一の又は対応する部分を示しており、図１は、本開示に従った十字型アンテナアレイ１の第１の実施形態の平面図を示している。これは、第１放射素子２０の第１リニアアレイ１０及び、第２放射素子２１の第２リニアアレイ１１を含む。第２リニアアレイ１１は、第１リニアアレイ１０と実質的に同じ平面に且つ第１リニアアレイ１０に実質的に垂直に配置されており、即ち、それらは十字を形成する。この十字の中央に、即ち第１リニアアレイ１０と第２リニアアレイ１１との交点１２に、共通の放射素子２２があり、これは、リニアアレイ１０及びリニアアレイ１１の双方に属するものとみなされ得る。さらに、第１及び第２リニアアレイ１０、１１の各端部に、フィード信号を受信するためのフィードポート３０、３１、３２、３３が設けられる。この２Ｄ十字型アンテナアレイ１は、生成されるアンテナビームを仰角及び方位角において複数の方向へと電子的にステアリングするために使用されることができる。
【００１６】
放射素子は、（例えばＲＦ基板上に設置される）パッチアンテナ素子として、又は（例えば中空の金属導波管としての）スロット付き導波管として、又は（例えばＲＦ基板上に設置される）ＳＩＷ（基板集積導波管）タイプのスロットアレイとして、構成され得る。これらは、この十字型のアーキテクチャのために使用されることができるアンテナトポロジのうちのいくつかである。このアンテナトポロジは、フィードポート間に十分な間隔があるので、絶縁の問題を有さない。
【００１７】
図１に示される本実施形態において、各リニアアレイ１０、１１は、（中央の放射素子２２を含めて）７つの放射素子２０、２１を含む。しかしながら、それらは別の数の放射素子を有することが可能であり、リニアアレイ１０がリニアアレイ１１とは違う数の放射素子を有することも可能である。
【００１８】
図２は、本開示に従ったアンテナデバイス１００の一実施形態を示す。これは、本明細書に開示されるような十字型アンテナアレイ、例えば図１に示すようなアンテナアレイ１、及び、フィード信号を生成しそのフィード信号をフィードポート３０、３１、３２、３３へと提供するための信号源１０１、例えば制御可能な発振子、を含む。
【００１９】
アンテナビームを様々な方向へとステアリングするために、１つの実施形態では、これらのポートは個別にオン及びオフにされることができ、又は、フィードポート３０、３１、３２、３３のうちどのフィードポートへ（例えば、１つのみ、若しくは２つ、若しくは３つ、若しくは全てのポートへ）フィード信号を提供するかを制御することができる。この目的のために、アンテナデバイス１００は、任意選択で、コントローラ１０２を含み得る。
【００２０】
さらに、任意選択で、フィードポートの入力位相を、好ましくは少なくとも０°と１８０°との間で切り換えることが可能であり得る。例えば、現在の民間レーダーのフロントエンドは、チップレベルでこれらの特性を提供することが可能である。この目的のために、アンテナデバイス１００は、任意選択で、１つ以上のフィードポート３０、３１、３２、３３において可変移相器１０３をさらに含み得る。可変移相器１０３も、コントローラ１０２により制御されるか、又は別のコントローラにより制御され得る。一般的に、可変移相器１０３は、フィードポートの入力位相を０°と３６０°との間のいずれの位相値へも制御するように構成され、よって、結果として得られるアンテナビームの方向の二次元制御に、よりいっそうの柔軟性を提供し得る。
【００２１】
したがって、一実施形態において、上記フィードポートのうちどのポートへフィード信号を提供するか、及び／又はフィードポート３０、３１、３２、３３のうちどのポートを（例えばデジタル的に）オンに切り換えどのポートをオフに切り換えるか、を（例えばコントローラ１０２により）制御することが可能である。さらに、例えばコントローラ１０２を使用することにより、フィード信号を１つ以上のフィードポート３０、３１、３２、３３へ提供する前に当該フィード信号の位相を制御することが可能であり得る。
【００２２】
図３は、本開示に従った方法２００のフローチャートを示す。第１のステップ２０１において、フィード信号を生成する。第２のステップ２０２において、フィード信号をアンテナアレイの１つ以上のフィードポートへ提供し、それにより、フィードポートのうちどのフィードポートへフィード信号が提供されるかを制御し、及び、フィード信号を１つ以上のフィードポートへ提供する前に当該フィード信号の位相を制御する。
【００２３】
ｘ方向が方位角に言及しｙ方向が仰角に言及する場合、アンテナビームは、複数の異なる方向へステアリングされることができる。開示される十字型アレイアンテナ構成を用いれば、アンテナビームを様々な方向へ、特に、上へ、下へ、右へ、左へ、右上へ、右下へ、左上へ、及び左下へ、傾けることができる。電磁信号（即ち、フィード信号）が異なるフィードポートから追加的な１８０°の位相シフト値を有して供給される場合、デュアル若しくはクワッドアンテナビーム又は、異なる電力半値ビーム幅（ＨＰＢＷ：half  power  beam  width）を有するブロードサイドビームといった、多くの異なるビームを得ることができる。フィード信号が２つ以上のフィードポートへ提供される場合、（単一のフィードポートへ提供される各個別のフィード信号から生じる）個別のアンテナビームの重畳が、最終的な１つのアンテナビームとして観察される。
【００２４】
一実施形態において、それぞれの第１放射素子１０間の第１間隔Ｌ２０はすべて同一であり、それぞれの第２放射素子２１間の第２間隔Ｌ２１はすべて同一である。さらに、一実施形態において、第１間隔Ｌ２０は第２間隔Ｌ２１と同一であり得るが、一般的には互いに異なることも可能である。放射素子間のこれらの間隔は、ステアリング可能なビームの最大方向を決定する。
【００２５】
開示される十字型アンテナアレイによれば、使用されるフィードポートに基づいて様々なアンテナ偏波を提供することがさらに可能である。リニアアレイ１０のポート３０、３２が使用される場合、垂直偏波が観察される（何故なら、基本的に、放射素子２０の（図中で）水平方向に位置合わせされたエッジ２３及び２４が、リニアアレイ１０によって生成されるアンテナビームに寄与するためである）。リニアアレイ１１のポート３１、３３が使用される場合、水平偏波が観察される（何故なら、基本的に、放射素子２１の（図中で）垂直方向に位置合わせされたエッジ２５及び２６が、リニアアレイ１１によって生成されるアンテナビームに寄与するからである）。リニアアレイ１０及び１１のうちのすべてのポート３０〜３３が使用される場合、円偏波が観察される。
【００２６】
信号をアンテナへ供給するためにこれらフィードポート３０〜３３のうちいずれか１つが使用される場合、アンテナは、進行波アンテナ（即ち、周波数依存アンテナ）のように働く。以下の表において、動作周波数とビーム方向との間の関係を見出すことができる。２つのリニアアレイの交点における電磁信号の伝搬は、例えば、水平方向のリニアアレイ１１が用いられる場合、電磁信号がこのリニアアレイ１１の放射素子に沿って伝搬していくようになる。放射素子２２（交点１２）により、電磁信号は３つに分割されるのではなく、方位角（ｘ）方向にのみ、さらに伝搬していく。
【表１】
2017225121.tif 000003
【００２７】
開示される十字型アレイトポロジの機能性は、シミュレーションを通じて証明済みである。十字型リニアアレイトポロジは、リニアアレイの特定の数にもアレイ当たりの放射素子の特定の数にも限定されない。例えば、十字は、２つ（又はそれ以上）の垂直方向に配置されたリニアアレイ及び２つ（又はそれ以上）の水平方向に配置されたリニアアレイによって形成され得る。さらに、リニアアレイ間の角度は必ずしも９０°である必要はなく、例えば４５°から１３５°の間の範囲内で、より小さくてもより大きくてもよい。またさらに、３つ以上のリニアアレイが星型に配置されてよい。一般的に、２Ｄビームステアリングのために、多種多様なアンテナトポロジを用いることができる。
【００２８】
開示されるアンテナトポロジは、旧来のフェーズドアンテナアレイとは違って、動作周波数（例えば約１ＧＨｚ）、振幅（例えば約１０％）、及び位相誤差（例えば約±１５°）の影響を受けにくく、それらに対して非常にロバストになる。これは、例えばシングル、デュアル、又はクワッドアンテナビームを使用した、方位角及び仰角方向における２Ｄビーム形成を可能にする。さらに、これは、扇型又はペンシル型のアンテナビームの生成を可能にする。さらに、アンテナアレイは、比較的コンパクトに構築されることができ、水平偏波、垂直偏波、及び円偏波のアンテナビームの生成を可能にする。
【００２９】
図４から図９は、本開示に従った十字型アンテナアレイによって達成可能な例示的なアンテナビームパターンを示す。図４は、ポート１がオンにされたときの、＋ｙ方向へ傾斜したアンテナビームを示す。図５は、ポート１及びポート２が同時にオンにされ且つそれらが等しい入力位相及び振幅値を有する場合の、−ｘ／＋ｙフィールドへ傾斜したアンテナビームを示す。図６は、すべてのポートがオンにされ且つ一方側のポート１及び３と他方側のポート２及び４との間の位相差が１８０°である場合の、クワッドビームアンテナを示す。図７は、すべてのポートがオンにされ且つ一方側のポート１及び４と他方側のポート２及び３との間の位相差が１８０°である場合の、ブロードサイド方向を向いたアンテナビームを示す。図８は、信号がポート１及びポート３により供給され且つそれら信号の位相差が１８０°である場合の、ブロードサイド方向を向いた和ビームを示す。図９は、ポート２及びポート４により供給される信号が等しい振幅及び位相値を有し且つ他の２つのポートがマッチングされている場合の、−ｘ方向及び＋ｘ方向に向けられるデュアルビームアンテナのビームを示す。
【００３０】
よって、以上の説明は、本開示の単に例示的な実施形態を開示し記述したものである。当業者には理解されるように、本開示は、その思想からも本質的な特徴からも逸脱することなく、他の特定の形で実施されてよい。したがって、本開示の開示は、例示を意図するものであって、本開示の範囲及びその他の特許請求の範囲を限定するものではない。本開示は、本明細書における教示の容易に識別可能なあらゆる変形を含めて、以上の請求項の用語の範囲を、発明性のある主題が公開されることのないように、部分的に定義する。
【００３１】
請求項において、「comprising」という用語は、他のエレメント又はステップを排除するものではなく、「a」又は「an」という不定冠詞は、複数を排除するものではない。単一のエレメント又は他のユニットは、請求項に記載される複数のアイテムの機能を満たし得る。具体的な方策が互いに異なる従属請求項に記載されているという事実だけで、それらの方策の組み合わせを有利に使用することができないことを示しはしない。
【００３２】
開示の実施形態がソフトウェアにより制御されるデータ処理装置により少なくとも部分的に実現されるものと説明された限りにおいて、光ディスク、磁気ディスク、半導体メモリ等といった、そうしたソフトウェアを担持する非一時的なマシン読み取り可能媒体も、本開示の一実施形態を表すものと考えられることが理解されるであろう。さらに、そうしたソフトウェアは、インターネット又は他の有線若しくは無線の電気通信システムを介して等、他の形態でも配布され得る。
【００３３】
開示されるデバイス、装置、及びシステムの要素は、対応するハードウェア要素及び／又はソフトウェア要素、例えば好適な回路により実装され得る。回路は、旧来の回路要素、特定用途向け集積回路を含む集積回路、標準的な集積回路、特定用途向け標準製品、及び、フィールドプログラマブルゲートアレイを含む、電子的構成要素の構造的集合体である。さらに、回路は、中央処理装置、グラフィックス処理装置、及び、ソフトウェアコードによりプログラミングされ又は構成されるマイクロプロセッサ、を含む。回路は純粋なソフトウェアを含まないが、回路はソフトウェアを実行する上述のハードウェアを含む。
【００３４】
１．第１放射素子（２０）の第１リニアアレイ（１０）と、
前記第１リニアアレイ（１０）に実質的に垂直に配置される、第２放射素子（２１）の第２リニアアレイ（１１）と、
前記第１リニアアレイ（１０）と前記第２リニアアレイ（１１）との交点（１２）に配置される共通の放射素子（２２）と、
前記第１リニアアレイ及び前記第２リニアアレイの各端部における、フィード信号の受信のためのフィードポート（３０，３１，３２，３３）と、
を含む、十字型アンテナアレイ。
２．それぞれの前記第１放射素子（２０）間の第１間隔（Ｌ２０）はすべて同一であり、それぞれの前記第２放射素子（２１）間の第２間隔（Ｌ２１）はすべて同一である、先行する実施形態のいずれかに記載の十字型アンテナアレイ。
３．前記第１間隔（Ｌ２０）は前記第２間隔（Ｌ２１）と同一である、実施形態２に記載の十字型アンテナアレイ。
４．前記放射素子は、パッチアンテナ素子、スロットアンテナ素子、スロット付き導波管素子、又は基板集積導波管素子、である、先行する実施形態のいずれかに記載の十字型アンテナアレイ。
５．先行する実施形態のいずれかに記載の十字型アンテナアレイ（１）と、
フィード信号を生成し前記フィード信号を前記フィードポート（３０，３１，３２，３３）へ提供するための信号源（１０１）と、
を含む、アンテナデバイス。
６．それぞれの前記フィードポート（３０，３１，３２，３３）への前記フィード信号の提供を制御するための及び／又は前記それぞれのフィードポート（３０，３１，３２，３３）のオンオフを切り換えるためのコントローラ（１０２）、をさらに含む、実施形態５に記載のアンテナデバイス。
７．それぞれの前記フィードポートへ提供される前記フィード信号の位相を制御するために、前記信号源（１０１）と少なくとも１つのフィードポート（３０，３１，３２，３３）との間に可変移相器（１０３）をさらに含む、実施形態５に記載のアンテナデバイス。
８．それぞれの前記フィードポートへ提供される前記フィード信号の位相を制御するために、前記信号源（１０１）と各フィードポート（３０，３１，３２，３３）との間に可変移相器（１０３）をさらに含む、実施形態５に記載のアンテナデバイス。
９．前記可変移相器（１０３）は、前記フィード信号の前記位相を０°又は１８０°だけシフトさせるように構成される、実施形態７又は８に記載のアンテナデバイス。
１０．前記可変移相器（１０３）は、前記フィード信号の前記位相を０°から３６０°までの範囲内のシフト値へシフトさせるように構成される、実施形態７又は８に記載のアンテナデバイス。
１１．前記可変移相器（１０３）を制御するためのコントローラ（１０２）、をさらに含む、実施形態９又は１０に記載のアンテナデバイス。
１２．先行する実施形態のいずれかに記載の十字型アンテナアレイを動作させる方法であって、
フィード信号を生成することと、
前記フィード信号を前記アンテナアレイの１つ以上のフィードポートへ提供することと、それにより、前記フィードポートのうちどのフィードポートへ前記フィード信号が提供されるかを制御することと、前記フィード信号を前記１つ以上のフィードポートへ提供する前に前記フィード信号の位相を制御することと、
を含む、方法。
１３．フィード信号が提供されないフィードポートをオフに切り換えること、をさらに含む、実施形態１２に記載の方法。
１４．前記フィード信号の前記位相を０°又は１８０°だけシフトさせること、をさらに含む、実施形態１２又は１３に記載の方法。
１５．前記フィード信号の前記位相を０°から３６０°までの範囲内のシフト値へシフトさせること、をさらに含む、実施形態１２又は１３に記載の方法。
【図１】
2017225121.tif 000004
【図２】
2017225121.tif 000005
【図３】
2017225121.tif 000006
【図４】
2017225121.tif 000007
【図５】
2017225121.tif 000008
【図６】
2017225121.tif 000009
【図７】
2017225121.tif 000010
【図８】
2017225121.tif 000011
【図９】
2017225121.tif 000012